(57)【要約】【課題】対向するピストンを連結部材によって一体構成し、連接棒によってピストンを往復運動させる空気圧縮機において、従来のピストン構造と同様に、ピストンピンをピストンの軸方向下側からボルトで固定すると、一方向の圧縮荷重についてはピストンピンが直接受けるが、反対方向の圧縮荷重はボルトを介して受けるため、ボルトの信頼性確保が困難であった。また、ピストンピンとピストンとを焼嵌めによって固定すると組立性が悪く、ピストンと連接棒が分解できないため、メンテナンスの際には連接棒とピストンのアセンブリー交換となり、メンテナンス費用が高額になるという課題があった。【解決手段】ピストンピンを、連接棒の揺動方向から締結部材にて連結部材または連接棒に固定するように構成する。これにより、組立性やメンテナンス性、信頼性を損なうことなく、小型軽量で高効率化な空気圧縮機が提供可能となる。【選択図】図２
2015113788.tif 000002
【特許請求の範囲】
【請求項１】
回転軸に接続され、偏心運動する大端部を有し、揺動運動する連接棒と、
第１のシリンダ内を往復動する第１のピストンと、
第２のシリンダ内を往復動する第２のピストンと、
前記第１のピストン本体と前記第２のピストン本体とを連結する連結部材と、
前記連接棒と前記連結部材とに挿通するピストンピンとを備え、
前記ピストンピンは、前記連接棒の揺動方向から締結部材にて前記連結部材または前記連接棒に固定されることを特徴とする空気圧縮機。
【請求項２】
請求項１に記載の空気圧縮機であって、
前記連接棒の大端部に対して前記ピストンピン側のピストンの圧縮行程において前記連接棒が揺動する側から前記ピストンピンが前記締結部材にて前記連結部材または前記連接棒に固定されることを特徴とする空気圧縮機。
【請求項３】
請求項１に記載の空気圧縮機であって、
前記ピストンピンが、前記連接棒の大端部に対して前記ピストンピン側のピストンを上にしたとき、前記偏心運動する回転方向と逆の前記連接棒の大端部が揺動する揺動方向側から前記締結部材にて前記連結部材または前記連接棒に固定されることを特徴とする空気圧縮機。
【請求項４】
請求項１から３の何れかに記載の空気圧縮機であって、
前記第１のピストンと前記第２のピストンのいずれかを１段目とし、もう一方のピストンを２段目とした２段圧縮構造であることを特徴とする空気圧縮機。
【発明の詳細な説明】
【技術分野】
【０００１】
本発明は、空気圧縮機の圧縮機本体構造に関するものである。
【背景技術】
【０００２】
本技術分野の背景技術として、特開２００３−１６１２５０号公報（特許文献１）がある。この公報には、対向するピストンを連結部材によって一体で構成し、連接棒によってピストンを往復運動させる圧縮機の構造が記載されている。
【先行技術文献】
【特許文献】
【０００３】
【特許文献１】特開２００３−１６１２５０号公報
【発明の概要】
【発明が解決しようとする課題】
【０００４】
特許文献１に記載の構造においては、対向するピストンが交互に圧縮運動するため、従来のピストン構造とは異なり、ピストンと連接棒とを接続するピストンピンには圧縮荷重が一方向ではなく両方向から交互にかかることになる。
【０００５】
このためピストンピンを従来のピストン構造と同様にピストンの軸方向下側からボルトで固定すると、一方向の圧縮荷重についてはピストンピンが直接受けるが、反対方向の圧縮荷重はボルトを介して受けることとなるため、ボルトの信頼性を確保することが困難となり、ピストンピンとピストンとは焼嵌めによって固定するのが確実である。
【０００６】
しかし、例えば、釘打ち機用空気圧縮機に本構造を採用した場合、製品の小型軽量化、高効率化を図ることが可能となるが、焼嵌めでのピストンピンの固定は非常に組立性が悪く、また、釘打ち機用空気圧縮機は定期的にメンテナンスを行うため、その際にピストンと連接棒が分解できないため、連接棒とピストンのアセンブリー交換となり、メンテナンス費用が高額となってしまうという課題が挙げられる。
【課題を解決するための手段】
【０００７】
上記課題を解決するために、例えば特許請求の範囲に記載の構成を採用する。本願は上記課題を解決する手段を複数含んでいるが、その一例を挙げるならば、回転軸に接続され、偏心運動する大端部を有し、揺動運動する連接棒と、第１のシリンダ内を往復動する第１のピストンと、第２のシリンダ内を往復動する第２のピストンと、前記第１のピストン本体と前記第２のピストン本体とを連結する連結部材と、前記連接棒と前記連結部材とに挿通するピストンピンとを備え、前記ピストンピンは、前記連接棒の揺動方向から締結部材にて前記連結部材または前記連接棒に固定されるように構成する。
【発明の効果】
【０００８】
本発明によれば、組立性やメンテナンス性、信頼性を損なうことなく、小型軽量で高効率化な空気圧縮機が提供可能となる。
【図面の簡単な説明】
【０００９】
【図１】本発明に係る実施例１の圧縮機本体の断面図である。
【図２】本発明に係る実施例１の圧縮機本体の横断面図である。
【図３】本発明に係る実施例２の連接棒の小端部側のピストンの圧縮工程時に発生する力を説明する図である。
【図４】本発明に係る実施例２の連接棒の小端部側とは反対側のピストンの圧縮工程時に発生する力を説明する図である。
【図５】本発明に係る実施例２の圧縮機本体の横断面図である。
【図６】本発明に係る実施例３の圧縮機本体の断面図である。
【発明を実施するための形態】
【００１０】
以下、本発明の各実施例に係る空気圧縮機の圧縮機本体構造を、添付図面を参照して詳細に説明する。
【実施例１】
【００１１】
まず、本発明に係る実施例１の圧縮機本体構造を、図１、図２を参照し以下に説明する。
【００１２】
圧縮機本体は図１に示すように、クランクケース１に互いに対向するようにシリンダ２、５、空気弁３、６、シリンダヘッド４、７が取付けられている。また、クランクケース１にはベアリング８、９によって回転可能なように支持されたクランクシャフト１０が貫通するように取付けられており、そのクランクシャフト１０の片側端部にはクランクシャフト１０を回転させるためのモータ１１が取付けられている。更には、クランクケース１に取付けられた対向する各々のシリンダ２、５内には、空気を吸込み、圧縮吐出しするためのピストン１２、１３が備えられており、それらピストン１２、１３は連結部材１４によって一体で構成されている。
【００１３】
クランクケース１内の回転軸であるクランクシャフト１０には、連接棒１５が大端部のベアリング１６を介して取付けられており、連接棒１５の小端部はニードルベアリング１７とピストンピン１８によって連結部材１４に接続されている。すなわち、ピストンピン１８は連接棒１５と連結部材１４とに挿通されて接続されている。
【００１４】
モータ１１が回転するとクランクシャフト１０によって前記大端部は偏心運動し、連接棒１５は、ピストン１２、１３の圧縮方向と直交する方向の揺動方向に揺動しながら、ピストン１２、１３の圧縮方向である上下方向に上下運動する。これにより、ニードルベアリング１７とピストンピン１８と連結部材１４を介して一体に構成されたピストン１２、１３を往復運動させることで、対向したピストン１２、１３は交互に空気弁３、６、シリンダヘッド４、７を通じて空気を吸込み、圧縮吐出する。
【００１５】
ここで図２に、図１の圧縮機本体を紙面横方向から見た構造図を示す。図２の上図は、紙面の左側から、ピストンピン１８をボルト１９によって固定した構成を示しており、図２の下図は、紙面の右側から、ピストンピン１８をボルト１９によって固定した構成を示している。上述したように、連接棒１５は、クランクシャフト１０によって揺動しながら上下運動するが、図２において、連接棒１５の紙面左右方向を揺動方向とすると、上図、下図共通して、ピストンピン１８は、連接棒１５の揺動方向（左側または右側）から連結部材１４へボルト１９で固定されている。
【００１６】
これにより、ピストン１２、１３が空気を圧縮する際、圧縮方向に対してボルト１９が直交する方向となるため、圧縮荷重はボルト１９を介さずピストンピン１８が直接受けることとなる。よって、ボルト１９への荷重を低減することができ、ボルトの信頼性を確保することが容易となる。
【００１７】
なお、本実施例において、ボルトによってピストンピンを連結部材へ固定するとしたが、ボルト以外のトメネジやピン等の締結部材としても良い。また、ボルトによって連結部材へピストンピンを固定するとしたが、連接棒にピストンピンを固定して、連結部材とは回転可能に接続するようにしても良い。
【００１８】
以上のように、本実施例によれば、回転軸に接続され、偏心運動する大端部を有し、揺動運動する連接棒と、第１のシリンダ内を往復動する第１のピストンと、第２のシリンダ内を往復動する第２のピストンと、前記第１のピストン本体と前記第２のピストン本体とを連結する連結部材と、前記連接棒と前記連結部材とに挿通するピストンピンとを備え、前記ピストンピンは、前記連接棒の揺動方向から締結部材にて前記連結部材または前記連接棒に固定される空気圧縮機とすることで、締結部材への荷重を低減することができ、締結部材の信頼性を確保することが容易となる。よって、組立性やメンテナンス性、信頼性を損なうことなく、小型軽量で高効率化な空気圧縮機を提供可能となる。
【実施例２】
【００１９】
次に、本発明に係る実施例２の圧縮機本体構造を、図３〜５を参照して説明する。本実施例では実施例１と同一の構成要素に同一の符号を付し、その説明を省略する。
【００２０】
本実施例は、図５に示すように、実施例１に対してピストンピン１８を、連接棒１４の小端部側のピストン１２の圧縮行程において連接棒１４の大端部が揺動する側から連接部材１４へボルト１９で固定したことを特徴とする。
【００２１】
まず、圧縮工程でピストンに発生する力について説明する。
【００２２】
本圧縮構造は、前述の通り、一体に構成された対向するピストン１２、１３を、連接棒１５によって交互に往復運動させることで、空気を吸込み、圧縮吐出を行う。この連接棒１５はクランクシャフト１０の回転に伴い揺動し、ピストン１２、１３の軸に対して傾くため、圧縮工程において連接棒１５に発生する力の鉛直方向成分が圧縮荷重となり、その水平方向成分がピストン１２、１３をシリンダ２，５に押しつける力となって発生する。
【００２３】
例えば、図３に示すように、連接棒１５の小端部側のピストン１２の圧縮工程、すなわち、ピストンがシリンダ内を往復運動するときのピストンが最下位となる下死点から最上位となる上死点までの工程、において、連接棒１５に発生する力Ｆは、圧縮荷重Ｆｙとピストン１２、１３をシリンダ２、５に押し付ける力Ｆｘに分解される。このときピストン１２、１３をシリンダ２、５に押し付ける力Ｆｘは、ピストン１２の圧縮工程における連接棒１５の大端部の揺動する側との反対方向に発生する。すなわち、連接棒１５の大端部の揺動する側とは、ピストンと連接棒とが一直線になる位置から揺動方向に揺動する側であり、図３では、揺動方向において、ピストンと連接棒とが一直線になる位置より左側であり、それとは反対方向に、Ｆｘが発生する。
【００２４】
一方、図４に示すように、連接棒１５の小端部側とは反対側のピストン１３の圧縮工程においては、ピストン１２、１３をシリンダ２、５に押し付ける力Ｆｘは、連接棒１５の大端部の揺動する側、図４では、揺動方向において、ピストンと連接棒とが一直線になる位置より右側、と同方向に発生する。
【００２５】
つまり、圧縮工程で発生するピストン１２、１３をシリンダ２、５に押し付ける力Ｆｘの方向は、ピストン１２、１３の圧縮方向に係らずクランクシャフトとモータの回転方向によって決まり、連接棒の大端部に対してピストンピン側のピストン（図３ではピストン１２）を上にしたとき、回転方向と同じ揺動方向側となる。すなわち、回転方向が右であれば揺動方向の右側となる。
【００２６】
ここで、ピストンピン１８は、圧縮荷重Ｆｙだけでなくこのピストンをシリンダに押し付ける力Ｆｘも受けることとなる。
【００２７】
したがって、図５に示すように、連接棒の大端部に対してピストンピン側のピストン１２の圧縮行程において連接棒１４の大端部が揺動する側からボルト１９でピストンピン１８を固定すれば、圧縮荷重Ｆｙだけでなくピストン１２、１３をシリンダ２、５に押し付ける力Ｆｘもボルト１９を介さずピストンピン１８が直接受けることとなる。そのため、実施例１に対して、よりボルト１９への荷重を低減することができ、ボルトの信頼性を確保することが更に容易となる。
【００２８】
また、言い換えれば、連接棒の大端部に対してピストンピン側のピストンを上にしたとき、モータによるクランクシャフトの回転方向、すなわち、連接棒の大端部が偏心運動する回転方向と逆の連接棒の大端部が揺動する搖動方向側、例えば、回転方向が右であれば左側、回転方向が左であれば右側、からボルトでピストンピンを固定すれば、圧縮荷重Ｆｙだけでなくピストンをシリンダに押し付ける力Ｆｘもボルトを介さずピストンピンが直接受けることとなる。そのため、実施例１に対して、よりボルトへの荷重を低減することができ、ボルトの信頼性を確保することが更に容易となる。
【００２９】
以上のように、本実施例によれば、連接棒の大端部に対してピストンピン側のピストンの圧縮行程において連接棒が揺動する側からピストンピンが締結部材にて連結部材または連接棒に固定される空気圧縮機とすることで、より締結部材への荷重を低減することができ、締結部材の信頼性を確保することが更に容易となる。また、言い換えれば、ピストンピンが、連接棒の大端部が偏心運動する回転方向と逆の連接棒の大端部が揺動する側から締結部材にて連結部材または連接棒に固定される空気圧縮機とすることで、締結部材の信頼性を確保することが容易となる。
【実施例３】
【００３０】
次に、本発明に係る実施例３の圧縮機本体構造を、図６を参照して説明する。本実施例では実施例１および実施例２と同一の構成要素に同一の符号を付し、その説明を省略する。
【００３１】
本実施例は、図６に示すように、実施例１または実施例２に対し、ピストン１２を大気から空気を吸込み、圧縮・吐出しする１段目のピストンとし、ピストン１３を連通配管２０を通じてピストン１２が吐出した圧縮空気を吸込み、再度圧縮・吐出する２段目のピストンとした２段圧縮構造であることを特徴とする。
【００３２】
なお、本実施例において、ピストン１２を１段目、ピストン１３を２段目として説明したが、ピストン１３を１段目、ピストン１２を２段目としても良い。
【００３３】
以上のように、本実施例によれば、実施例１または実施例２の空気圧縮機を用い、第１のピストンと第２のピストンのいずれかを１段目とし、もう一方のピストンを２段目とした２段圧縮構造の空気圧縮機とすることで、締結部材の信頼性を確保しつつ、高圧縮が可能な空気圧縮機を提供することが出来る。
【００３４】
本発明は上記した実施例に限定されるものではなく、様々な変形例が含まれる。上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加、削除、置換をすることも可能である。
【符号の説明】
【００３５】
１          クランクケース
２、５      シリンダ
３、６      空気弁
４、７      シリンダヘッド
８、９      ベアリング
１０        クランクシャフト
１１        モータ
１２、１３  ピストン
１４        連結部材
１５        連接棒
１６        大端部ベアリング
１７        小端部ニードルベアリング
１８        ピストンピン
１９        ボルト
２０        連通配管
Ｆ          連接棒に掛かる荷重
Ｆｘ        ピストンをシリンダに押し付ける力
Ｆｙ        圧縮荷重
【図１】
2015113788.tif 000003
【図２】
2015113788.tif 000004
【図３】
2015113788.tif 000005
【図４】
2015113788.tif 000006
【図５】
2015113788.tif 000007
【図６】
2015113788.tif 000008